(57)【特許請求の範囲】
【請求項１】
把持可能な長尺の本体と、この本体に設けられ長尺物を引っ掛けるフックとを有する棒状体を備え、上記長尺物が所定部材に引っ掛かった状態を解消して元の状態に復旧させる際に活用される長尺物引っ掛かり復旧装置において、
把持可能な長尺の本体を有し、上記棒状体とは別体に形成されて固定部材に固定可能な別の棒状体と、
上記棒状体及び上記別の棒状体のうちの一方に連結され、牽引力が与えられる索状体と、
上記棒状体及び上記別の棒状体のうちの他方に設けられ、上記索状体が巻き掛けられる巻き掛け部とを備えたことを特徴とする長尺物引っ掛かり復旧装置。
【請求項２】
請求項１に記載の長尺物引っ掛かり復旧装置において、
上記索状体がロープから成り、
上記巻き掛け部が、上記ロープが巻き掛けされるプーリから成ることを特徴とする長尺物引っ掛かり復旧装置。
【請求項３】
請求項２に記載の長尺物引っ掛かり復旧装置において、
上記プーリを、上記棒状体及び上記別の棒状体のうちの該当するものの先端から１５ｃｍ以内の位置に設けたことを特徴とする長尺物引っ掛かり復旧装置。
【請求項４】
請求項２または３に記載の長尺物引っ掛かり復旧装置において、
上記ロープを、上記棒状体及び上記別の棒状体のうちの該当するものの先端から１５ｃｍ以内の位置に連結したことを特徴とする長尺物引っ掛かり復旧装置。
【請求項５】
請求項４に記載の長尺物引っ掛かり復旧装置において、
上記長尺物が、エレベータの昇降路に配置されるものから成り、
上記棒状体及び上記別の棒状体が、上記エレベータの乗場から上記昇降路に向かって伸長させるように操作されるものから成ることを特徴とする長尺物引っ掛かり復旧装置。
【請求項６】
請求項５に記載の長尺物引っ掛かり復旧装置において、
上記棒状体の上記本体の先端に上記フックを設け、
上記棒状体に上記ロープを連結し、上記別の棒状体に上記プーリを設けるとともに、
上記棒状体の上記先端から上記ロープが連結される部位までの距離と、上記別の棒状体の上記先端から上記プーリが設けられる部位までの距離とを等しく設定したことを特徴とする長尺物引っ掛かり復旧装置。
【請求項７】
請求項５に記載の長尺物引っ掛かり復旧装置において、
上記棒状体の上記本体の先端に上記フックを設け、
上記棒状体に上記ロープを連結し、上記別の棒状体に上記プーリを設けるとともに、
上記棒状体の上記先端から上記ロープが連結される部位までの距離を、上記別の棒状体の上記先端から上記プーリが設けられる部位までの距離よりも長く設定したことを特徴とする長尺物引っ掛かり復旧装置。
【発明の詳細な説明】
【技術分野】
【０００１】
本発明は、長尺物を引っ掛けるフックを有する棒状体を備え、長尺物が所定部材に引っ掛かった状態を解消して元の状態に復旧させる長尺物引っ掛かり復旧装置に関する。
【背景技術】
【０００２】
地震などの大きな自然災害や予期せぬ事故が発生した場合、昇降機やその他の設備で使用される長尺物、例えばエレベータにおける主ロープやテールコード等が、昇降路内に配置されるガイドレールやガイドレール固定部などの所定部材に引っ掛かることがある。このような場合には、所定部材に対する長尺物の引っ掛かりを解消して元の状態に復旧させる復旧作業が必要になる。このような長尺物の引っ掛かり復旧作業を行う復旧装置として、従来、把持可能な長尺の本体と、この本体の先端に設けられ長尺物を引っ掛けるフックとを有する棒状体を備えた復旧装置が活用されている。
【０００３】
この従来の長尺物引っ掛かり復旧装置は、棒状体の本体の長手方向に向かって力を加えてフックに引っ掛けた長尺物を動かすことは容易であり、棒状体に加えた力を効率良くフックに伝えることができる。したがって、単に棒状体の長手方向に力を加えることによって長尺物の引っ掛かりを解消できる場合には、復旧作業を容易に行うことができる。しかしながら、従来の復旧装置は、所定部材に引っ掛かった長尺物に対して棒状体の長手方向と直交する横方向に力を伝達することは困難であった。ここで例えば、長尺物がエレベータの昇降路内に配置される主ロープである場合には、主ロープは重量物である乗かごを吊持するものであることから、主ロープに大きな張力が掛かり、この大きな張力に抗して棒状体によって主ロープを棒状体の長手方向と直交する方向に動かすことが必要になる。すなわち、主ロープの引っ掛かりを解消するために、主ロープの大きな張力に抗して棒状体に対しこの棒状体の長手方向と直交する方向の大きな力を加えることが必要になる。
【０００４】
なお、本発明におけるような長尺物の引っ掛かりを解消させて元の状態に復旧させる技術とは異なるが、特許文献１に、棒状体の本体の先端にフックを設け、このフックを介して棒状体の長手方向と直交する方向に力を加えるようにした吊架金物取付長ボルト引き抜き装置が開示されている。この引き抜き装置にあっては、電柱に上当杆と下当杆とを当接させて支点とし、先端のフックを対象物に引っ掛けてロープを引っ張ることによって棒状体に加えた力を横方向の力に変換し、長ボルトを引き抜くようにしたものである。
【先行技術文献】
【特許文献】
【０００５】
【特許文献１】実開平５−２３７１４号公報
【発明の概要】
【発明が解決しようとする課題】
【０００６】
所定部材に対する長尺物の引っ掛かりを解消するに際し、棒状体に対して、この棒状体の長手方向と直交する方向に力を加える必要がある場合に、上述した特許文献１に示される技術を転用することが考えられる。しかし通常、エレベータの昇降路内においては特許文献１に示される従来技術におけるように、引っ掛かった長尺物の周囲に反力を受ける電柱に該当するような部材が存在するとは限らない。したがって、この特許文献１に示される従来技術を、昇降路内の所定部材に引っ掛かった例えば主ロープを、棒状体の長手方向と直交する方向に動かしてこの主ロープの引っ張り状態を解消させるような復旧作業に活用させることはできない。このようなこともあって従来では、棒状体に対して、この棒状体の長手方向と直交する方向に力を加えて長尺物の引っ掛かり状態を解消する復旧作業を行う場合には、その復旧作業が煩雑になり、この復旧作業に長時間を要したり、別の大掛かりな手段を採用せざるを得なかった。
【０００７】
本発明は、上述した従来技術における実状からなされたもので、その目的は、フックを有する棒状体に、その長手方向と直交する方向の力を加えて長尺物の引っ掛かりを解消する復旧作業を、長尺物の周囲に配置された固定部材を活用して容易に行うことができる長尺物引っ掛かり復旧装置を提供することにある。
【課題を解決するための手段】
【０００８】
上記目的を達成するために、本発明に係る長尺物引っ掛かり復旧装置は、把持可能な長尺の本体と、この本体に設けられ長尺物を引っ掛けるフックとを有する棒状体を備え、上記長尺物が所定部材に引っ掛かった状態を解消して元の状態に復旧させる際に活用される長尺物引っ掛かり復旧装置において、把持可能な長尺の本体を有し、上記棒状体とは別体に形成されて固定部材に固定可能な別の棒状体と、上記棒状体及び上記別の棒状体のうちの一方に連結され、牽引力が与えられる索状体と、上記棒状体及び上記別の棒状体のうちの他方に設けられ、上記索状体が巻き掛けられる巻き掛け部とを備えたことを特徴としている。
【０００９】
このように構成した本発明は、棒状体に、この棒状体の長手方向の力を加えることにより長尺物の引っ掛かりを解消できる場合には、棒状体に、長手方向の力を加えることによってフックに引っ掛けた長尺物を簡単に動かし、容易に復旧させることができる。
【００１０】
また本発明は、棒状体に、この棒状体の長手方向と直交する方向の力を加えることにより長尺物の引っ掛かりを解消できる場合には、例えば棒状体に索状体を連結し、別の棒状体に巻き掛け部を設け、棒状体に連結した索状体を別の棒状体の巻き掛け部に巻き掛けた状態にして、棒状体のフックを長尺物に引っ掛けてこの棒状体を把持し、別の棒状体を長尺物の周囲に配置される固定部材に固定してこの別の棒状体を把持し、このような状態で索状体を牽引することが行われる。この索状体の牽引によって棒状体は別の棒状体方向へ、すなわち棒状体がこの棒状体の長手方向と直交する方向へ移動し、所定部材に引っ掛かっている長尺物を、棒状体のフックによって所定部材から離脱するように移動させて元の状態にすることができる。すなわち本発明は、棒状体にその長手方向と直交する方向の力を加えて長尺物の引っ掛かりを解消させる復旧作業を、長尺物の周囲に配置される固定部材に別の棒状体を固定した状態で索状体を牽引することによって容易に行うことができる。
【００１１】
また本発明は、上記発明において、上記索状体がロープから成り、上記巻き掛け部が、上記ロープが巻き掛けられるプーリから成ることを特徴としている。
【００１２】
このように構成した本発明は、ロープを牽引した際にプーリが回転することから、比較的小さな牽引力によってロープを牽引し、棒状体のフックによって、引っ掛かった長尺物を棒状体の長手方向と直交する方向に動かすことができる。
【００１３】
また本発明は、上記発明において、上記プーリを、上記棒状体及び上記別の棒状体のうちの該当するものの先端から１５ｃｍ以内の位置に設けたことを特徴としている。
【００１４】
このように構成した本発明は、長尺物が引っ掛かっている所定部材とロープとの干渉を避けながら、プーリにより横方向の力に変換されたロープの牽引力を、棒状体の長手方向と直交する方向に長尺物を移動させる力として効率良く棒状体に伝えることができる。
【００１５】
また本発明は、上記発明において、上記ロープを、上記棒状体及び上記別の棒状体のうちの該当するものの先端から１５ｃｍ以内の位置に連結したことを特徴としている。
【００１６】
このように構成した本発明は、ロープの牽引力が、別の棒状体を固定部材に押し付ける力と相殺されがたく、したがって棒状体のフックに、ロープの牽引力を長尺物を動かす大きな力として伝えることができる。
【００１７】
また本発明は、上記発明において、上記長尺物が、エレベータの昇降路に配置されるものから成り、上記棒状体及び上記別の棒状体が、上記エレベータの乗場から上記昇降路に向かって伸長させるように操作されるものから成ることを特徴としている。
【００１８】
このように構成した本発明は、長尺物が、乗かごや釣り合いおもりを吊持する主ロープや、テールコードである場合に、これらの主ロープやテールコードの引っ掛かり状態を簡単に解消して元の状態にし、エレベータの速やかな復旧運転を可能にすることができる。
【００１９】
また本発明は、上記発明において、上記棒状体の上記本体の先端に上記フックを設け、上記棒状体に上記ロープを連結し、上記別の棒状体に上記プーリを設けるとともに、上記棒状体の上記先端から上記ロープが連結される部位までの距離と、上記別の棒状体の上記先端から上記プーリが設けられる部位までの距離とを等しく設定したことを特徴としている。
【００２０】
このように構成した本発明は、所定部材に引っ掛かった長尺物と、別の棒状体が固定される固定部材とが乗場から等距離に位置している場合に、棒状体に連結したロープの部位と、別の棒状体のプーリに巻き掛けられるロープの部位までの間に位置するロープの部分を、棒状体に対して略直交するように位置させることができる。これにより、ロープの牽引力を棒状体に効率良く伝え、この棒状体のフックに、長尺物を動かす大きな力を与えることができる。
【００２１】
また本発明は、上記発明において、上記棒状体の上記本体の先端に上記フックを設け、上記棒状体に上記ロープを連結し、上記別の棒状体に上記プーリを設けるとともに、上記棒状体の上記先端から上記ロープが連結される部位までの距離を、上記別の棒状体の上記先端から上記プーリが設けられる部位までの距離よりも長く設定したことを特徴としている。
【００２２】
このように構成した本発明は、所定部材に引っ掛かった長尺物が、固定部材よりも乗場に対して遠くに位置している場合に、棒状体に連結したロープの部位と、別の棒状体のプーリに巻き掛けられるロープの部位までの間に位置するロープの部分を、棒状体に対して略直交するように位置させることができる。これにより、ロープの牽引力を棒状体に効率良く伝え、この棒状体のフックに、長尺物を動かす大きな力として与えることができる。
【発明の効果】
【００２３】
本発明は、把持可能な長尺の本体と、この本体に設けられ長尺物を引っ掛けるフックとを有する棒状体を備えるとともに、把持可能な長尺の本体を有し、棒状体とは別体に形成されて長尺物の周囲に配置された固定部材に固定可能な別の棒状体と、棒状体及び別の棒状体のうちの一方に連結され、牽引力が与えられる索状体と、棒状体及び別の棒状体のうちの他方に設けられ、索状体が巻き掛けれる巻き掛け部とを備えた構成にしてある。この構成に伴って本発明は、フックを有する棒状体に、その長手方向と直交する方向の力を加えて長尺物の引っ掛かりを解消する復旧作業を、長尺物の周囲に配置され別の棒状体が固定される固定部材を活用して容易に行うことができる。これにより本発明は、長尺物を棒状体の長手方向と直交する方向に動かすことによって長尺物の引っ掛かりを解消する復旧作業を、従来に比べて短時間で、能率良く行うことができる。
【図面の簡単な説明】
【００２４】
【図１】本発明に係る長尺物引っ掛かり復旧装置の一実施形態に備えられる第１棒状体を示す図で、（ａ）図は平面図、（ｂ）図は側面図である。
【図２】本実施形態に備えられる第２棒状体を示す平面図である。
【図３】本実施形態を用いて行われる復旧作業時の状態を示す図である。
【発明を実施するための形態】
【００２５】
以下、本発明に係る長尺物引っ掛かり復旧装置の実施の形態を図に基づいて説明する。
【００２６】
図１は本発明に係る長尺物引っ掛かり復旧装置の一実施形態に備えられる第１棒状体を示す図で、（ａ）図は平面図、（ｂ）図は側面図、図２は本実施形態に備えられる第２棒状体を示す平面図である。
【００２７】
本実施形態に係る長尺物引っ掛かり復旧装置は、長尺物例えばエレベータの昇降路内に配置され、乗かごや釣り合いおもりを吊持する主ロープ４が、昇降路内の所定部材に引っ掛かった状態を解消して元の状態に復旧させる等に際して活用される装置である。
【００２８】
本実施形態は、図１に示すように、把持可能な長尺の本体１ａと、この本体１ａの先端に設けられ上述した長尺物を形成する主ロープ４を引っ掛けるフック５とを有する棒状体、すなわち第１棒状体１と、図２に示すように、把持可能な長尺の本体２１ａを有し、第１棒状体１とは別体に形成されて固定部材、例えばガイドレール等に固定可能な別の棒状体、すなわち第２棒状体２１とを備えている。また本実施形態は、第１棒状体１及び第２棒状体２１のうちの一方、例えば第１棒状体１に連結され、牽引力が与えられる索状体例えばロープ８と、第１棒状体１及び第２棒状体２１のうちの他方、例えば第２棒状体２１に設けられ、ロープ８が巻き掛けられる巻き掛け部、例えばプーリ２２とを備えた構成にしてある。
【００２９】
第１棒状体１の本体１ａは、例えば第１筒体１ａ１と、この第１筒体１ａ１が収容される第２筒体１ａ２と、この第２筒体１ａ２が収容される第３筒体１ａ３とを含み、伸縮可能に構成してある。本実施形態は、本体１ａに複数のねじ穴１０ａ，１０ｂ，１０ｃ，１０ｄを形成してあるとともに、これらのねじ穴１０ａ〜１０ｄに挿入可能な調整ねじ１１ａ，１１ｂを備えている。筒体１ａ１〜１ａ３に形成されたねじ穴１０ａ〜１０ｄを必要に応じて互いに適合させるように筒体１ａ１〜１ａ３を摺動させ、適合させたねじ穴に調整ねじ１１ａ，１１ｂを挿入してこれらの筒体１ａ１〜１ａ３を締結することにより、本体１ａの長さ寸法を、所望の短い長さ寸法、あるいは所望の長い長さ寸法に設定することができる。
【００３０】
第１棒状体１に連結されるロープ８は、第１棒状体１の本体１ａの先端側、例えば第１筒体１ａ１と第２筒体１ａ２とを締結する調整ねじ１１ａに、その一端を連結してある。調整ねじ１１ａは例えば本体１ａの先端から１５ｃｍ以内の部位に取り付けてある。したがって、ロープ８の一端は、本体１ａの先端から１５ｃｍ以内の部位に連結されている。ここで、上述した本体１ａの先端側とは、本体１ａの中央部分から第１筒体１ａ１の先端までの領域を含んでいる。したがって、一例としてロープ８を上述のように調整ねじ１１ａに連結したが、この調整ねじ１１ａとは異なる本体１ａの部位に連結するようにしてもよい。なお、上述したロープ８の連結に係る１５ｃｍは、本発明者らがロープ８の連結位置として好適な位置を模索するために、繰り返し試験的に復旧作業を行って得られた値である。
【００３１】
上述した第１棒状体１のフック５は、ボルト２，３によって本体１ａに含まれる第１筒体１ａ１に固定してある。このフック５は、上述のようにボルト２，３によって第１筒体１ａ１に固定されるＬ字状の第１フック部５ａと、この第１フック部５ａと背中合わせに配置され、ボルト６，７によって第１フック部５ａに固定されたＬ字状の第２フック部５ｂとによって構成されている。このように、第１フック部５ａと第２フック部５ｂを配置することにより、フック５の平面視の形状は略Ｈ字形状となっている。
【００３２】
主ロープ４がフック５の第１フック部５ａ内に位置するときには、第１棒状体１の本体１ａを手前に引くことにより、第１フック部５ａによって主ロープ４を手前に動かすことができ、また、本体１ａをその長手方向に直交する方向に動かすことが可能となる。また、主ロープ４がフック５の第２フック部５ｂ内に位置するときには、第１棒状体１の本体１ａを押すことにより、第２フック部５ｂによって主ロープ４を向こうに動かすことができ、また、本体１ａをその長手方向と直交する方向に動かすことにより、第２フック部５ｂによって主ロープ４を本体１ａの長手方向と直交する方向に動かすことが可能となる。
【００３３】
第２棒状体２１は、例えば第１棒状体１と略同等の構成にしてある。すなわち、この第２棒状体２１の本体２１ａも、第１筒体２１ａ１と、この第１筒体２１ａ１が収容される第２筒体２１ａ２と、この第２筒体２１ａ２が収容される第３筒体２１ａ３とを含み、伸縮可能に構成してある。この本体２１ａにも複数のねじ穴２８ａ，２８ｂ，２８ｃ，２８ｄを形成してあるとともに、これらのねじ穴１０ａ〜１０ｄに挿入可能な調整ねじ２９ａ，２９ｂを備えている。したがって、第１棒状体１と同様に、この第２棒状体２１の本体２１ａの長さ寸法を所望の短い長さ寸法または所望の長い長さ寸法に設定することができる。
【００３４】
また、この第２棒状体２１も、第１棒状体１のフック５と同様のフック２５を備えている。このフック２５は、ボルト２４と、ねじ棒２３とによって、本体２１ａに含まれる第１筒体２１ａ１に固定されるＬ字状の第１フック部２５ａと、この第１フック部２５ａと背中合わせに配置され、ボルト２６，２７によって第１フック部２５ａに固定されるＬ字状の第２フック部２５ｂとによって構成されている。このように第１フック部２５ａと第２フック部２５ｂを配置することにより、フック２５の平面視の形状も略Ｈ字形状となっている。また、この第２棒状体２１にはねじ棒２３にプーリ２２を取り付けることで、プーリ２２を第２棒状体２１に固定している。なお第２棒状体２１にプーリ２２を設ける構成はこれに限られるものではない。
【００３５】
上述した第２棒状体２１に取り付けられるプーリ２２は、本体２１ａの先端側、例えば、本体２１ａの先端から１５ｃｍ以内の部位に設けてある。本実施形態は、第１棒状体１の本体１ａの先端からロープ８の一端が連結されるまでの距離と、第２棒状体２１の本体２１ａの先端からプーリ２２が設けられるまでの距離とを例えば等しく設定してある。ここで、上述した本体２１の先端側とは、本体２１ａの中央部分から第１筒体２１ａ１の先端までの領域を含んでいる。したがって、プーリ２２を第１筒体２１ａの先端から１５ｃｍを超える本体１ａの部位に取り付けることもできる。なお、上述したプーリ２２の連結に係る１５ｃｍは、本発明者らがプーリ２２の取り付け位置として好適な位置を模索するために、繰り返し試験的に復旧作業を行って得られた値である。
【００３６】
上述したように、地震などの大きな自然災害や予期せぬ事故が発生した場合、例えばエレベータにあっては主ロープ４等がガイドレールやガイドレール固定部などの昇降路内の所定部材に引っ掛かり、エレベータが動作不能となることがある。このような場合には、上述のように例えば引っ掛かっている主ロープ４を元の状態に復旧させる復旧作業が必要になる。なお、主ロープ４等の引っ掛かりの発生の有無は、各階床ごとに確認される。そして例えば、主ロープ４の引っ掛かりが発生している場合に、上述の構成の本実施形態に係る長尺物引っ掛かり復旧装置を活用して、以下のように復旧作業が行われる。
【００３７】
図３は本実施形態を用いて行われる復旧作業時の状態を示す図である。
【００３８】
主ロープ４が昇降路３１内の所定部材に引っ掛かった場合、例えば第１棒状体１の長手方向の力を加えることにより主ロープ４の引っ掛かりを解消できる場合には、この第１棒状体１のみによって主ロープ４の引っ掛かりを解消することができる。すなわち、第１棒状体１のフック５の第１フック部５ａによって主ロープ４を手前に引いたり、あるいはフック５の第２フック部５ｂによって主ロープ４を向こうに押したりして、主ロープ４を簡単に動かして、容易に主ロープ４の引っ掛かりを解消し元の状態に復旧させることができる。なお、第２棒状体２１の基本構成は第１実施形態と同等にしてあるので、上述のような場合に本実施形態は、第１棒状体１に代えて第２棒状体２１を活用して上述と同様の動作を行うことができる。
【００３９】
また本実施形態は、第１棒状体１の長手方向と直交する方向の力を加えることにより主ロープ４の引っ掛かりを解消できる場合には、例えば図３に示すように、第１棒状体１に一端を連結したロープ８を第２棒状体２１のプーリ２２に巻き掛け、この状態で第１棒状体１の例えば第２フック部５ｂ内に主ロープ４を位置させるように、乗場３０から一人目の作業者Ａが昇降路３１に向かって第１棒状体１を伸長させて把持する。また、乗場３０で二人目の作業者Ｂが、第２棒状体２１を昇降路３１に向かって伸長させて、本実施形態では例えば主ロープ４の周囲に配置された固定部材であるガイドレール４０にこの第２棒状体２１を固定させて把持する。また、このような状態において、乗場３０で三人目の作業者Ｃが、ロープ８の他端を持ち、ロープ８を牽引する。このロープ８の牽引によって第２棒状体２１に設けたプーリ２２が回転し、第１棒状体１は第２棒状体２１の方向へ、すなわち第１棒状体１がこの第１棒状体１の長手方向と直交する方向へ移動し、この第１棒状体１のフック５の第２フック部５ｂによって図示しない所定部材に引っ掛かっている主ロープ４を、所定部材から離脱するように移動させて元の状態にすることができる。
【００４０】
このように本実施形態によれば、第１棒状体１にその長手方向と直交する方向の力を加えて主ロープ４の引っ掛かりを解消させる復旧作業を、主ロープ４の周囲に配置された固定部材であるガイドレール４０等に第２棒状体２１を固定した状態で、ロープ８を牽引することによって容易に行うことができる。これにより本実施形態は、主ロープ４を第１棒状体１の長手方向と直交する方向に動かすことによって主ロープ４の引っ掛かりを解消する復旧作業を短時間で、能率良く行うことができる。また、このように主ロープ４の引っ掛かりを解消することにより、エレベータの速やかな復旧運転を可能にすることができる。
【００４１】
また本実施形態は、ロープ８を牽引した際にプーリ２２が回転することから、比較的小さな牽引力によってロープ８を牽引し、第１棒状体１のフック５の第２フック部５ｂによって、引っ掛かった主ロープ４を第１棒状体１の長手方向と直交する方向に動かすことができる。
【００４２】
また本実施形態は、プーリ２２を第２棒状体２１の本体２１ａの先端から１５ｃｍ以内の位置に設けたことから、主ロープ４が引っかかっている所定部材とロープ８との干渉を避けながら、プーリ２２により横方向の力に変換されたロープ８の牽引力を、第１棒状体１の長手方向と直交する方向に主ロープ４を移動させる力として効率良く第１棒状体１のフック５の第２フック部５ｂに伝えることができる。
【００４３】
また本実施形態は、ロープ８の一端を、第１棒状体１の先端から１５ｃｍ以内の位置に連結したことから、ロープ８の牽引力が、作用点である主ロープ４に掛けられた第１棒状体１のフック５に、効率よく伝えることができる。
【００４４】
また本実施形態は、上述のような第１棒状体１の本体１ａの先端からロープ８の一端が連結される部位までの距離と、第２棒状体２１の本体２１ａの先端からプーリ２２が設けられる部位までの距離を１５ｃｍ以内の同じ距離に設定してある。このように構成したことにより、所定部材に引っ掛かった主ロープ４と、第２棒状体２１が固定されるガイドレール４０等とが乗場３０から等距離に位置している場合に、第１棒状体１に連結したロープ８の一端の部位と、第２棒状体２１のプーリ２２に巻き掛けられるロープ８の部位までの間に位置するロープ８の部分を、第１棒状体１の延設方向に対して略直交するように位置させることができる。これにより、ロープ８の牽引力を第１棒状体１のフック５の第２フック部５ｂに効率良く伝え、この棒状体１の第２フック部５ｂに主ロープ４を動かす大きな力として与えることができる。
【００４５】
なお、上記実施形態にあっては、第１棒状体１の本体１ａの先端からロープ８の一端が連結される部位までの距離と、第２棒状体２１の本体２１ａの先端からプーリ２２が設けられる部位までの距離を等しく設定したが、本発明は、このようにロープ８の連結位置と、プーリ２２を設ける位置を設定することに限定されるものではない。例えば、第１棒状体１の本体１ａの先端からロープ８の一端が連結される部位までの距離を、第２棒状体２１の本体２１ａの先端からプーリ２２が設けられる部位までの距離よりも長く設定してもよい。このように構成したものでは、所定部材に引っ掛かった主ロープ４が、ガイドレール４０等よりも乗場３０から遠くに位置している場合に、第１棒状体１に連結したロープ８の一端の部位と、第２棒状体２１のプーリ２２に巻き掛けられるロープ８の部位までの間に位置するロープ８の部分を、第１棒状体１の延設方向に対して略直交するように位置させることができる。したがって、このように構成したものも、ロープ８の牽引力を第１棒状体１のフック５の第２フック部５ｂに効率良く伝え、この棒状体１の第２フック部５ｂに主ロープ４を動かす大きな力を与えることができる。
【００４６】
また上記実施形態は、第２棒状体２１のフック２５の第２フック部２５ａをガイドレール４０等に固定し、第１棒状体１のフック５の第２フック部５ｂによって昇降路３１内の所定部材に引っ掛かった主ロープ４を動かすようにしたが、これとは逆に、第１棒状体１のフック５の第２フック部５ｂをガイドレール等に固定し、第２棒状体２１のフック２５の第２フック部２５ｂによって昇降路３１内の所定部材に引っ掛かった主ロープ４を動かすようにしても、主ロープ４の引っ掛かりを解消させることができる。
【００４７】
また上記実施形態は、第１棒状体１にロープ８を連結し、第２棒状体２１にロープ８が巻き掛けられるプーリ２２を設けたが、これとは別に、第２棒状体２１にロープ８を連結し、第１棒状体１にロープ８が巻き掛けられるプーリ２２を設けた構成にしてもよい。
【００４８】
また上記実施形態は、第１棒状体１に連結する索状体がロープ８によって構成されているが、索状体としてロープ８に代えて鎖等を設けるようにしてもよい。
【００４９】
また上記実施形態は、長尺物がエレベータの昇降路３１内に配置される主ロープ４から成っているが、長尺物は主ロープ４には限られず、例えばレールコード等であってもよい。また本発明は、エレベータにおける主ロープ４等の長尺物の引っ掛かりに際してのみ活用され得るものでなく、長尺物の引っ掛かりを生じる懸念のあるエレベータとは異なる各種設備においても活用させることができる。
【符号の説明】
【００５０】
１    第１棒状体
１ａ  本体
４    主ロープ（長尺物）
５    フック
５ａ  第１フック部
５ｂ  第２フック部
８    ロープ（索状体）
２１    第２棒状体
２１ａ  本体
２２    プーリ（巻き掛け部）
２３    ねじ棒
２５    フック
２５ａ  第１フック部
２５ｂ  第２フック部
３０    乗場
３１    昇降路
４０    ガイドレール（固定部材）
Ａ    作業者
Ｂ    作業者
Ｃ    作業者
【図１】
0005839699.tif 000002
【図２】
0005839699.tif 000003
【図３】
0005839699.tif 000004